(57)【要約】【課題】  健康被害の少ない成分を含有し、害虫・カビ・細菌に対し有効な書籍用防虫防カビ抗菌シートを提供し、かつ、簡単な装着作業で高い効果を発揮することができる装着方法を提供する。【解決手段】  アリルイソチオシアネートを含有する樹脂シート１０であって、書籍２０の所望のページに挟み込んで使用されることを特徴とする書籍用防虫防カビ抗菌シートとし、この樹脂シート１０の一端を書籍２０の前側のページに挟み込み、かつ、その樹脂シート１０の他端を書籍２０の後側のページに挟み込むこととし、そのとき樹脂シート１０が、書籍の小口２１を包み込むことにしたり、又は、書籍の天２２を包み込むことにしたりするとよい。【選択図】図１
2016047629.tif 000002
【特許請求の範囲】
【請求項１】
アリルイソチオシアネートを含有する樹脂シートであって、書籍の所望のページに挟み込んで使用されることを特徴とする書籍用防虫防カビ抗菌シート。
【請求項２】
アリルイソチオシアネートを含有する樹脂シートの一端を書籍の前側のページに挟み込み、かつ、前記樹脂シートの他端を前記書籍の後側のページに挟み込むことを特徴とする書籍用防虫防カビ抗菌シートの装着方法。
【請求項３】
前記樹脂シートが、前記書籍の小口を包み込むことを特徴とする請求項２に記載の書籍用防虫防カビ抗菌シートの装着方法。
【請求項４】
前記樹脂シートが、前記書籍の天を包み込むことを特徴とする請求項２に記載の書籍用防虫防カビ抗菌シートの装着方法。
【発明の詳細な説明】
【技術分野】
【０００１】
本発明は、書籍の防虫防カビ抗菌を目的とした書籍用防虫防カビ抗菌シート及びその装着方法に関するものである。
【背景技術】
【０００２】
日本は湿潤な気候なので、書籍・古文書等の保存に際し、害虫、カビ、細菌などによる被害が多く、その対応は非常に重要である。書籍に被害を与える害虫としては、例えばシバンムシ類、シミ類、ゴキブリ類、カドウマ類といったものがあり、特に、シバンムシ類は、書籍等の表面に直径１ｍｍ程度の孔をあけ、そこからトンネル状に食害することがある。また、カビ類としては、コウジカビ、クロカビ、ススカビなどが多い。そして、カビを好んで食べる害虫もあるので、カビと害虫の相乗も考えられる。
【０００３】
書籍に対する殺虫・殺菌処理としては、燻蒸が効果的であり、樟脳、ナフタリン、パラジクロロベンゼン、ジクロルボス（ＤＤＶＰ）、ピレスロイド系薬剤などが従来から用いられているが、これらの中には強い毒性を有する物もあるので、健康被害が生じないように取扱いには注意が必要である。
【０００４】
また、図書館では、複数人が書籍を手にするので、細菌が付着しやすいという問題がある。そこで、図書館等では、書籍等を殺菌するために紫外線を用いた殺菌装置が用いられることがある（例えば、特許文献１参照）。しかし、図書館の蔵書はかなり多いため、このような装置で個別に殺菌をするのは時間がかかり、非常に煩雑な作業である。
【先行技術文献】
【特許文献】
【０００５】
【特許文献１】特開２００５−１８５３０２号公報
【発明の概要】
【発明が解決しようとする課題】
【０００６】
このような実情に鑑み、本発明は、健康被害の少ない安全な成分を含有し、害虫・カビ・細菌に対し有効な書籍用防虫防カビ抗菌シートを提供し、かつ、簡単な装着作業で高い効果を発揮することができる装着方法を提供することを目的とする。
【課題を解決するための手段】
【０００７】
本発明の書籍用防虫防カビ抗菌シートは、アリルイソチオシアネートを含有する樹脂シートであって、書籍の所望のページに挟み込んで使用されるものである。
【０００８】
また、本発明の書籍用防虫防カビ抗菌シートの装着方法は、アリルイソチオシアネートを含有する樹脂シートの一端を書籍の前側のページに挟み込み、かつ、その樹脂シートの他端を書籍の後側のページに挟み込むことを特徴とするものである。
【０００９】
ここで、樹脂シートが、書籍の小口を包み込むことにしたり、又は、書籍の天を包み込むことにしたりしてもよい。
【発明の効果】
【００１０】
本発明の書籍用防虫防カビ抗菌シートであれば、健康被害を生じず、また、本発明の装着方法であれば、装着作業が簡単であるにもかかわらず、防虫防カビ抗菌の効果を高めることができるという効果を奏する。
【図面の簡単な説明】
【００１１】
【図１】本発明の書籍用防虫防カビ抗菌シートの装着方法を説明する図であり、（ａ）は樹脂シートの一端を挟み込んだ状態、（ｂ）は樹脂シートを小口を包み込むように折り曲げた状態、（ｃ）は装着が完了した状態を示す。
【図２】本発明の書籍用防虫防カビ抗菌シートの装着方法を説明する図であり、（ａ）は樹脂シートの一端を挟み込んだ状態、（ｂ）は樹脂シートを天を包み込むように折り曲げた状態、（ｃ）は装着が完了した状態を示す。
【発明を実施するための形態】
【００１２】
本発明の書籍用防虫防カビ抗菌シートは、成分としてアリルイソチオシアネート（以下、ＡＩＴとする）を含有する樹脂シートである。ＡＩＴは、自然由来のカラシ、ワサビの抽出物で食品用として広く使用されているものであり、例えば、三菱化学フーズ株式会社の製品であるワサオーロ（登録商標）に含有されている。ワサオーロ（登録商標）は、抗菌効果が高く、更に、害虫の防除や、鮮度保持にも効力を発揮するものである。つまり、防虫防カビにも効果を発揮し、高い安全性が確認されている。
【００１３】
樹脂シートとしては、ＥＭＡ樹脂（エチレンメチルアクリレート）シート又はＰＥ樹脂（ポリエチレン）シートにするのがよいが、これらに限定するものではなく、様々な樹脂を用いることが可能である。なお、ＥＭＡ樹脂やＰＥ樹脂を使用すれば、より高濃度のＡＩＴの練り込みが可能になり、さらに蒸散もコントロールでき、長期間効果を持続させることができるようになる。
【００１４】
このような書籍用防虫防カビ抗菌シートの使用方法としては、書籍の所望のページに挟み込んで装着すればよい。挟み込むことで、紙をトンネル状に食害するシバンムシ類に対して、より高い防虫効果を発揮することができる。なお、３００ページに１枚程度挟み込めば、十分に効果を発揮できることが実験によりわかっている。
【００１５】
また、より効果的な挟み込み方法として、書籍の前側のページに書籍用防虫防カビ抗菌シートの一端を挟み込み、他端を書籍の後側のページに挟み込むという方法がある。このような挟み込み方法を、以下、図を用いて説明する。なお、図１及び図２は、いずれも本発明の書籍用防虫防カビ抗菌シートの装着方法を説明する図であり、装着手順をそれぞれ（ａ）、（ｂ）、（ｃ）の順で示している。
【００１６】
まず、図１に示す装着方法は、書籍２０の小口２１を包み込むようにして、樹脂シート１０の両端を前側のページと後側のページに挟み込むものである。小口２１とは、ページをめくる際に指で触る書籍１０の側面部分である。つまり、小口２１は汚れやすい部分であり、菌が付着しやすく、カビの発生、害虫の発生が多い部分なので、図１に示す装着方法は非常に有効である。
【００１７】
装着手順としては、まず、図１（ａ）のように、前側のページに樹脂シート１０の一端を挟み込む。次に、図１（ｂ）のように、樹脂シート１０を書籍２０の小口２１を包み込むように折り曲げ、他端を後側のページに挟み込める状態にする。そうして、図１（ｃ）は、ページを閉じて、装着が完了した状態である。なお、当然であるが、先に後側のページに樹脂シート１０の一端を挟み込んでから、他端を前側のページに挟み込んでもよい。
【００１８】
また、樹脂シート１０の位置としては、小口２１の上部分を包み込むようにした方がよい。小口２１の上部分を包み込めば、上部から下方に向かってＡＩＴの有効成分が蒸散し、書籍２０全体に効果を行き渡らせることができるからである。なお、小口２１の指が触れた部分を特に殺菌したい場合には、小口２１の上部分ではなく、指が触れた部分を中心に包み込むように装着してもよい。
【００１９】
次に、図２に示す装着方法は、書籍２０の天２２を包み込むようにして、樹脂シート１０の両側を前側のページと後側のページに挟み込むものである。天２２とは、ページの上端部分のことであり、このような装着方法は、書籍２０が、特にＡ４判より大きい場合に有効である。それは、書架の奥行より大きい書籍２０は、収納したとき、書架から前側に飛び出すことになるからである。そして、書架から飛び出した部分には、落下菌対策が必要であり、また、埃等が溜まって害虫も生息しやすくなることにも対応しなければならないからである。
【００２０】
装着手順としては、まず、図２（ａ）のように、前側のページに樹脂シート１０の一端を挟み込む。次に、図２（ｂ）のように、樹脂シート１０を書籍２０の天２２を包み込むように折り曲げ、他端を後側のページに挟み込める状態にする。そうして、図２（ｃ）は、ページを閉じて、装着が完了した状態である。なお、当然であるが、先に後側のページに樹脂シート１０の一端を挟み込んでから、他端を前側のページに挟み込んでもよい。
【００２１】
また、小口２１を包み込む場合、及び、天２２を包み込む場合のいずれの場合にも、ページ数が多く、厚い書籍２０の場合は、樹脂シート１０を複数枚使用してもよい。例えば、樹脂シート１０の端部を前側のページと中間のページに挟み込み、更にもう一枚の樹脂シートの端部を中間のページと後側のページに挟み込むといった形態にすればよい。
【００２２】
以上のように、書籍２０の所望のページに挟み込んだり、小口２１や天２２を包み込むように挟み込むのは簡単な作業であり、かつ、長期間（通常は１年間程度）効果が継続するので、従来の殺菌等の対策に比べて作業が煩雑ではないという優れた効果を奏することができる。また、ＡＩＴは害虫に有効かつ人体に安全な成分であるので、書籍のように人が手に触れる物に対して、特に優れた効果を発揮することができる。
【符号の説明】
【００２３】
１０ 樹脂シート
２０ 書籍
２１ 小口
２２ 天
【図１】
2016047629.tif 000003
【図２】
2016047629.tif 000004